(57)【特許請求の範囲】
【請求項１】
電子機器を取り付けるための取付用ブラケットであって、
取付構造物に固定される第１取付部材と、
前記第１取付部材に上下方向、回転方向及び高さ方向に可変に設けられ、前記電子機器を取り付ける第２取付部材と、を備え、
前記第１取付部材が
前記取付構造物に固定される取付面と、
前記取付面の縦方向側辺から前方へ延在し、前記第２取付部材を高さ方向に可変とする長孔部と、前記長孔部から一定間隔でカギ状に延在する係合孔部とを有する一対の側面と、を備える
ことを特徴とする取付用ブラケット。
【請求項２】
前記第２取付部材が、
本体と、
前記本体の前方に設けられ、前記電子機器が取り付けられる電子機器取付部と、
前記本体の後方に設けられ、前記第１取付部材の前記係合孔部に上下方向に可変に取り付けられる複数の係合突起と、
前記本体の周面に設けられ、前記第１取付部材の前記長孔部に嵌入され、前記第２取付部材が回転中に前記第１取付部材から脱落するのを防止するための複数の突出部と、を備える
ことを特徴とする請求項１に記載の取付用ブラケット。
【発明の詳細な説明】
【技術分野】
【０００１】
本発明は、電子機器を取り付けるための取付用ブラケットに関する。
【背景技術】
【０００２】
電子機器を、取り付ける場所の構造が異なっていても、ブラケットの取り付け向きを変えることで取り付け可能で、さらに電子機器を左右方向に回転調節可能な取付用ブラケットが知られている（例えば、特許文献１参照）。また、電子機器を、X、Y、Z軸方向に調整が可能な取付用ブラケットが知られている（例えば、特許文献２参照）。これらの構造では、上下方向、回転方向及び高さ方向に調整できず、取り付ける場所に応じた電子機器の方向付けが容易にできない。
【先行技術文献】
【特許文献】
【０００３】
【特許文献１】特開２００３−３３２７５８号公報
【特許文献２】特開平８−２５４２０６号公報
【発明の概要】
【発明が解決しようとする課題】
【０００４】
本発明は、電子機器を、上下方向、回転方向及び高さ方向に容易に調整可能な取付用ブラケットを提供する。
【課題を解決するための手段】
【０００５】
（１）本発明に係る態様は、電子機器を取り付けるための取付用ブラケットであって、取付構造物に固定される第１取付部材と、第１取付部材に上下方向、回転方向及び高さ方向に可変に設けられ、電子機器を取り付ける第２取付部材と、を備え、第１取付部材が取付構造物に固定される取付面と、取付面の縦方向側辺から前方へ延在し、第２取付部材を高さ方向に可変とする長孔部と、長孔部から一定間隔でカギ状に延在する係合孔部とを有する一対の側面と、を備える取付用ブラケットを提供する。
【０００６】
（２）上記（１）に記載の取付用ブラケットにおいて、第２取付部材が、本体と、本体の前方に設けられ、電子機器が取り付けられる電子機器取付部と、本体の後方に設けられ、第１取付部材の係合孔部に上下方向に可変に取り付けられる複数の係合突起と、本体の周面に設けられ、第１取付部材の長孔部に嵌入され、第２取付部材が回転中に第１取付部材から脱落するのを防止するための複数の突出部と、を備えてもよい。
【発明の効果】
【０００８】
本発明によれば、電子機器を、上下方向、回転方向及び高さ方向に容易に調整可能な取付用ブラケットを提供できる。
【図面の簡単な説明】
【０００９】
【図１】本発明の実施形態に係る取付用ブラケット及びカードリーダ装置を示す斜視図である。
【図２】取付用ブラケットをカードリーダ装置側からみた分解斜視図である。
【図３】取付用ブラケットを取付用ブラケット側からみた分解斜視図である。
【図４】（ａ）は、カードリーダ装置を上方向に向けて取付用ブラケットに取り付けた斜視図、（ｂ）は、カードリーダ装置を下方向に向けて取付用ブラケットに取り付けた斜視図である。
【図５】（ａ）は、カードリーダ装置を横にして取付用ブラケットに取り付けた斜視図、（ｂ）は、カードリーダ装置を回転させて縦にして取付用ブラケットに取り付けた斜視図である。
【図６】取付用ブラケットの正面図である。
【図７】（ａ）は、カードリーダ装置を横にして取付用ブラケットに取り付けた状態を示す取付用ブラケットの斜視図、（ｂ）は、カードリーダ装置を回転させる途中の状態を示す取付用ブラケットの斜視図、（ｃ）は、カードリーダ装置を縦にして取付用ブラケットに取り付けた状態を示す取付用ブラケットの斜視図である。
【図８】（ａ）は、カードリーダ装置を低い位置に取付用ブラケットに取り付けた正面図及び側面図、（ｂ）は、カードリーダ装置を高い位置に取付用ブラケットに取り付けた正面図及び側面図である。
【図９】カードリーダ装置を取付用ブラケットの中間の高さに配置し、縦にして取付用ブラケットに取り付けた斜視図である。
【発明を実施するための形態】
【００１０】
本発明の実施形態に係る取付用ブラケット１は、電子機器１００を取り付けるための取付用ブラケット１であって、取付構造物に固定される第１取付部材１０と、第１取付部材１０に上下方向、回転方向及び高さ方向に可変に設けられ、電子機器１００を取り付ける第２取付部材２０と、を備える。
【００１１】
以下、実施形態の取付用ブラケット１を、添付図面を参照して詳細に説明する。図１、図２及び図３において、取付用ブラケット１は、取付構造物に電子機器１００を取り付けるためのものである。取付構造物としては、例えば壁、扉等が挙げられる。また、電子機器１００は、カードリーダ装置や、液晶テレビ、デジタル時計等の表示部を有するものであってもよい。カードリーダ装置のカード読み取り面や、液晶テレビ、デジタル時計等の表示部は、電子機器１００の最も広い面である前面１０１に設けられる。
【００１２】
図１に、高さ方向Ｈを矢印で示した。電子機器１００を縦にするとは、電子機器１００の長尺方向を高さ方向に向けることをいい、横にするとは、電子機器１００の長尺方向を高さ方向と直交する方向に向けることをいう。また、上方向とは、電子機器１００が上を向く方向であり、下方向とは、電子機器１００が下を向く方向である。さらに、回転方向とは、電子機器１００が、縦から横に回転する方向である。
【００１３】
第１取付部材１０は、取付構造物に固定される取付面１１と、取付面１１の縦方向側辺から前方へ延在し、第２取付部材２０を高さ方向に可変とする長孔部１２と、長孔部１２から一定間隔でカギ状に延在する係合孔部１３とを有する一対の側面１４と、を備える。
【００１４】
第１取付部材１０は、取付面１１の四隅に形成された孔１１０にねじ３０を通し、ねじ３０を取付構造物にねじ込むことで取付構造物に固定される。第１取付部材１０は、板の両端を前方に直角に折り曲げた形状で、両端の側面１４が取付面１１の縦方向側辺から前方へ延在する。
【００１５】
第１取付部材１０の下側には、一対の側面１４間に、一対の側面１４の間隔を維持するための補強部材１５が設けられている。ここで、電子機器１００を取り付ける側が前方であり、取付構造物側が後方である。また、実施形態では、第１取付部材１０の取付面１１の縦方向と高さ方向は一致して取付構造物に取り付けられているが、多少のずれは許容される。
【００１６】
長孔部１２は、第１取付部材１０の２つの側面１４に縦方向に形成されている。長孔部１２の上方向は、開口し、下方向は閉じている。また、カギ状の係合孔部１３は、側面１４の縦方向に６カ所形成されている。係合孔部１３は、長孔部１２から前方へ延在し、カギ状の先がさらに下方に向けて延在している。したがって、カギ状の係合孔部１３の先に挿入されたものは、側面１４によって、下方、前方、後方に動きが規制される。第１取付部材１０は、１枚の金属板を折り曲げ加工して形成するか、合成樹脂の成形等で形成することができる。
【００１７】
第２取付部材２０は、本体２１と、本体２１の前方に設けられ、電子機器１００が取り付けられる電子機器取付部２２と、本体２１の後方に設けられ、第１取付部材１０の係合孔部１３に上下方向に可変に取り付けられる複数の係合突起２３と、本体２１の周面に設けられ、第１取付部材１０の長孔部１２に嵌入され、第２取付部材２０が回転中に第１取付部材１０から脱落するのを防止するための複数の突出部２４と、を備えている。
【００１８】
図１において、第２取付部材２０は、６カ所形成された係合孔部１３の低いほうから３番目の係合孔部１３に係合突起２３が取り付けられている。したがって、電子機器１００は、第１取付部材１０の縦方向のほぼ中央に取り付けられている。また、電子機器１００の前面１０１は、前方を向いている。
【００１９】
図２及び図３において、第２取付部材２０の本体２１の形状は、側面が円筒のカップ形状を有し、その開口が前方に向いている。本体２１は、合成樹脂、金属等で形成することができる。ここで、本体２１の形状は、カップ形状に限らず円柱状であってもよい。
【００２０】
電子機器取付部２２は、本体２１の前方の開口の周面から外側に向かって、対向して２カ所形成されている。電子機器取付部２２には、孔２２０が形成され、後方からねじ５０を孔２２０に通し、前方の電子機器１００にねじ込むことで、電子機器１００が第２取付部材２０に取り付けられる。
【００２１】
係合突起２３は、本体２１の後方の周面に等間隔で４カ所設けられている。係合突起２３は、長孔部１２の上方の開口から嵌入され、任意の高さの係合孔部１３に嵌入される。係合突起２３には、ねじ穴が形成されており、嵌入後、ねじ４０を側面１４の外側から係合突起２３にねじ込んで、第２取付部材２０を第１取付部材１０に固定する。ねじ４０によって、第２取付部材２０を第１取付部材１０に確実に固定するためには、係合突起２３の高さを第１取付部材１０の板厚より低くする。より好ましくは、板厚の半分程度の厚さにする。
【００２２】
突出部２４は、本体２１の後方の周面に等間隔で４カ所設けられている。ここで、突出部２４は、隣り合う係合突起２３の間に、係合突起２３と突出部２４とが等間隔になるように交互に設けられている。また、突出部２４は、周方向に延在して形成されている。
【００２３】
図２及び図３において、第２取付部材２０の本体２１を、射出成型を用いて合成樹脂でカップ形状に形成する場合、本体２１の肉厚をできるだけ均一にするため、突出部２４に応じて底面に凹部が設けられている。本体２１の肉厚をできるだけ均一にすることで、射出成型で生じるヒケや欠けを少なくできる。
【００２４】
以下、電子機器１００を、上下方向に調節する方法について説明する。図４において、（ａ）は、図１に示した状態から、電子機器１００の前面１０１を上方向に向けた状態を示している。電子機器１００の前面１０１を上方向に向けるには、ねじ４０を緩めて電子機器１００及び第２取付部材２０を上方向に向けた状態で、ねじ４０を締める。
【００２５】
図４において、（ｂ）は、図１に示した状態から、電子機器１００の前面１０１を下方向に向けた状態を示している。電子機器１００の前面１０１を下方向に向けるには、ねじ４０を緩めて電子機器１００の前面１０１及び第２取付部材２０を下方向に向けた状態で、ねじ４０を締める。
【００２６】
ここで、電子機器１００を上下方向に向ける際に、第２取付部材２０の後方部分が第１取付部材１０と接触することによって可動範囲が規制され、電子機器１００が第１取付部材１０と接触して電子機器１００が傷つくのを防げる。可動範囲は、取り付けられる電子機器１００の大きさに合わせて、第２取付部材２０の本体２１の前後方向の長さ及び縦方向の長さを調節して決める。
【００２７】
以下、電子機器１００を、回転方向に調節する方法について説明する。図５において、（ａ）は、図１に示した状態から、電子機器１００を最も低い位置に移動した状態を示している。（ｂ）は、（ａ）の状態から、電子機器１００を９０°回転させて縦にした状態を示している。
【００２８】
図６は、図５（ａ）の状態で電子機器１００を取り外し、取付用ブラケット１を取付構造物に向かって見た正面図である。この状態では、突出部２４は、側面１４に形成された長孔部１２に嵌入されていない。また、第２取付部材２０の本体２１は補強部材１５に当接している。
【００２９】
図７は、ねじ４０を取り外した状態で示してある。第２取付部材２０を回転方向に動かすには、ねじ４０を取り外して行う。図７（ａ）は、図６の斜視図である。図７（ｂ）は、第２取付部材２０を、正面から見て反時計回りに４５°回転させた状態を示している。図７（ａ）の状態から図７（ｂ）の状態に回転させる際に、係合突起２３が長孔部１２から外れる前に、突出部２４が長孔部１２に嵌入される。図７（ｃ）は、第２取付部材２０を図７（ｂ）の状態からさらに反時計回りに４５°回転させた状態を示している。図７（ｂ）の状態から図７（ｃ）の状態に回転させる際に、突出部２４が長孔部１２から外れる前に、係合突起２３が長孔部１２に嵌入される。図７（ｃ）の状態に、電子機器１００を取り付けた図が、図５（ｂ）である。以上の操作は、実際には、電子機器１００を取り付けた状態で第２取付部材２０とともに回転方向に動かす。
【００３０】
突出部２４の周方向に延在された長さは、係合突起２３が長孔部１２から外れる前に、突出部２４が長孔部１２に嵌入されるように、突出部２４が長孔部１２から外れる前に、係合突起２３が長孔部１２に嵌入されるように決めることができる。したがって、係合突起２３が長孔部１２から外れる前に、突出部２４が長孔部１２に嵌入され、第２取付部材２０を周方向に回転させても、第２取付部材２０が第１取付部材１０から脱落するのを防止できる。
【００３１】
以下、電子機器１００を、高さ方向に調節する方法について説明する。図８（ａ）は、図５（ａ）と同じ状態を示したものである。図８（ｂ）は、第２取付部材２０が、最も高い係合孔部１３に取り付けられた状態を示している。
【００３２】
図８（ａ）の状態から図８（ｂ）の状態に調節するには、ねじ４０を緩めて、長孔部１２に沿って係合突起２３を高い方向に移動させて、最も高い係合孔部１３の位置まで持ってくる。その後、係合突起２３を前方に動かし係合孔部１３に移動させた後、カギ状の係合孔部１３の先まで移動させる。この状態で、係合突起２３は、側面１４に規制されて下方には移動できない状態になっている。これらの操作は、ねじ４０を外して行ってもよい。移動が終了した状態で、ねじ４０を締めて固定する。
【００３３】
実施形態に係る取付用ブラケット１によれば、電子機器１００を、上下方向、回転方向、高さ方向に容易に調整可能となる。
【００３４】
また、電子機器１００を、上下方向、回転方向、高さ方向に容易に調整可能となるので、電子機器１００がカードリーダ装置の場合、非接触型ＩＣ（Ｉｎｔｅｇｒａｔｅｄ  Ｃｉｒｃｕｉｔ）カードを電子機器１００の前面１０１にタッチしやすいように調節できる。また、電子機器１００への配線を行い易い向きに、電子機器１００を向けることができる。
【００３５】
さらに、電子機器１００を、上下方向、回転方向、高さ方向に容易に調整可能となるので、カードリーダ装置の絵文字の視認性が上がる。また、液晶テレビ、デジタル時計等の表示部が視野角を有する電子機器の表示を見やすくできる。
【００３６】
取付用ブラケット１の係合突起２３が、カギ状の係合孔部１３の先で下方に規制されているので、電子機器１００の重み又は外力で下方に移動することなく、電子機器１００の取り付け位置を維持できる。また、補強部材１５によって、電子機器１００の重み又は外力で下方に移動することなく、さらに、下方向に向くことがなく、電子機器１００の取り付け位置を維持できる。
【００３７】
上述の上下方向、回転方向、高さ方向を個々に調整する他に、上下方向、回転方向、高さ方向への調整を組み合わせてもよい。例えば、図９は、電子機器１００を第１取付部材１０の縦方向のほぼ中央で、回転方向に９０°回転させて縦にして取り付けた状態を示している。
【００３８】
取付構造物は、壁に限らず、傾斜した構造物や平台であってもよい。また、係合孔部１３は、側面１４に６カ所形成されているが、調節したい段階に応じて係合孔部１３の数を増減させてもよい。
【００３９】
さらに、第１取付部材１０の縦方向の長さは、電子機器１００の高さ方向の必要な可動範囲に応じて決めることができる。
【符号の説明】
【００４０】
１…取付用ブラケット
１０…第１取付部材
１１…取付面
１２…長孔部
１３…係合孔部
１４…側面
１５…補強部材
２０…第２取付部材
２１…本体
２２…電子機器取付部
２３…係合突起
２４…突出部
３０，４０，５０…ねじ
１００…電子機器
１０１…前面
１１０…孔
２２０…孔
Ｈ…高さ方向
【図１】
0006707993.tif 000002
【図２】
0006707993.tif 000003
【図３】
0006707993.tif 000004
【図４】
0006707993.tif 000005
【図５】
0006707993.tif 000006
【図６】
0006707993.tif 000007
【図７】
0006707993.tif 000008
【図８】
0006707993.tif 000009
【図９】
0006707993.tif 000010